(57)【要約】      （修正有）【課題】自動車の前後で形状の異なる２種類のナンバープレートに対し、単一の構造のカバーを用いて、アダプターの使用，不使用により両用可能とした大型自動車用ナンバープレートを提供する。【解決手段】自動車の前後に設けられる長方形のナンバープレート１の正面に被覆配設されるカバーＡの全体が透明なプラスチックで形成される大型自動車用ナンバープレートカバーであって、該ナンバープレートが配置される長方形の凹処２の外周に沿って鍔部３を設け、自動車に設置するための４隅部の上部１隅部には、シール封印される大形取付ビスを挿通させることができる貫通孔４を設け、他の３隅部には取付ビス９を着脱係止できる透孔を穿つと共に、前記シール封印される大形取付ビスを挿通する貫通孔４には取付ビス９を係入できる通孔７を穿ったアダプター（詰物体）６を着脱自在に設けて成ることを特徴とする大型自動車用のナンバープレートカバー。【選択図】図５
0003143298.tif 000002
【実用新案登録請求の範囲】
【請求項１】
自動車の前後に設けられる長方形のナンバープレートの正面に被覆配設されるカバーの全体が透明なプラスチックで形成される大型自動車用ナンバープレートカバーであって、ナンバープレートが配置される長方形の凹処の外周に沿って鍔部を設け、自動車に設置するための４隅部の上部１隅部には、シール封印される大形取付ビスを挿通させることができる貫通孔を設け、他の３隅部には取付ビスを着脱係止できる透孔を穿つと共に、前記シール封印される大形取付ビスを挿通する貫通孔には取付ビスを係入できる通孔を穿ったアダプター（詰物体）を着脱自在に設けて成ることを特徴とする大型自動車用のナンバープレートカバー。
【請求項２】
取付ビスを着脱係止できる透孔は、凹陥した筒部中央に設けて成ることを特徴とする請求項１記載の大型自動車用のナンバープレートカバー。
【考案の詳細な説明】
【技術分野】
【０００１】
本考案は、自動車特に大型トラックなどの大型自動車用ナンバープレートカバーに関する。
【背景技術】
【０００２】
一般に自動車には、その前後に車輌を特定するためのナンバープレートの設置が義務つけられている。
【０００３】
このナンバープレートは、主に取付ビスによって自動車の前後の所定の取付け箇所に取付けられている。そして、前後いずれかのナンバープレートには、シール封印した特殊構造の大形取付ビスで固着され、許可なく取外すことができない構造を保持させていた。
【０００４】
他方、ナンバープレートを保護するためにナンバープレートカバーが知られている（例えば、特許文献１参照）。
【特許文献１】意匠登録第１１３０１１１号公報
【考案の開示】
【考案が解決しようとする課題】
【０００５】
ところで、上記特許文献１によれば、自動車の前後のナンバープレートのうち、シール封印された一方のナンバープレートには、シール封印された大形取付ビスを無断で取外してカバーを被覆できないので、シール封印されていない側の他方のナンバープレートしか使用できないという不都合がある。
【０００６】
本考案は叙上の点に着目して成されたもので、シール封印されていない側のナンバープレートは勿論のこし、シール封印された側のナンバープレートにも被覆取付け可能な大型自動車用ナンバープレートカバーを提供することを目的とする。
【課題を解決するための手段】
【０００７】
本考案は、以下の構成を備えることにより上記課題を解決できる。
【０００８】
（１）自動車の前後に設けられる長方形のナンバープレートの正面に被覆配設されるカバーの全体が透明なプラスチックで形成される大型自動車用ナンバープレートカバーであって、ナンバープレートが配置される長方形の凹処の外周に沿って鍔部を設け、自動車に設置するための４隅部の上部１隅部には、シール封印される大形取付ビスを挿通させることができる貫通孔を設け、他の３隅部には取付ビスを着脱係止できる透孔を穿つと共に、前記シール封印される大形取付ビスを挿通する貫通孔には取付ビスを係入できる通孔を穿ったアダプター（詰物体）を着脱自在に設けて成ることを特徴とする大型自動車用のナンバープレートカバー。
【０００９】
（２）取付ビスを着脱係止できる透孔は、凹陥した筒部中央に設けて成ることを特徴とする前記（１）記載の大型自動車用のナンバープレートカバー。
【考案の効果】
【００１０】
本考案によれば、シール封印された大形取付ビスを備えるナンバープレートに対しては、アダプター（詰物体）を取外して、他の３箇所の取付ビスを用いてカバー被覆後ビス止めすることにより使用でき、また、シール封印されていないナンバープレートに対しては、アダプターを取付けた状態の儘、取付ビスを用いて、アダプターに設けられる通孔を介して、他の取付ビスと同様にナンバープレートの表面に被覆固着できる。
【００１１】
したがって、前後の２枚のナンバープレートに対して体裁よく被覆カバーできる。
【考案を実施するための最良の形態】
【００１２】
以下に、本考案の実施例を図面と共に説明する。
【実施例】
【００１３】
１，１Ａは、自動車の前後に設けられる２種類の長方形のナンバープレート、２は、このナンバープレート１，１Ａを抱被できる凹処、３は、この凹処２の外周に突設した鍔部であり、カバーＡの全体が透明なプラスチックで形成され、ナンバープレート１，１Ａ上に表示される車体の登録番号などを常に透視できるようになっている。
【００１４】
４は、ナンバープレート１Ａの上部１隅部に設けられるシール封印される大形取付ビス５を挿通させることができる貫通孔、６は、この貫通孔４に着脱自在に挿着できるアダプターであって、詰物体として機能させてある。７は、このアダプター６に穿った取付ビス係入用の通孔を示す。
【００１５】
８は、他の３箇所の隅部に設けたナンバープレート１の取付用の取付ビス９の係入用の透孔を示す。なお透孔８は、カバーＡの表面より凹陥した筒部中央に設けるのが好ましい。
【００１６】
上述の構成において、アダプター６は外周を漸次と外方に拡開するテーパー斜面１０とし、貫通孔４に挿入させて係止させる場合は、このテーパー斜面１０の拡開状態により貫通孔４内で楔の働きで適正箇所に掛止させることができる。
【００１７】
叙上の構成に基づく作用を説明する。
【００１８】
まず、シール封印させていない側のナンバープレート１に取付ける場合について説明する（図５参照）。
【００１９】
上下４箇所隅部の取付ビス９を外し、ナンバープレート１の表面に透明なカバーＡを凹処２に沿って被覆し、予め取外した取付ビス９を上下４箇所に相当する透孔８を介して螺合させ、緊締してカバーＡをナンバープレート１上に取付固定できる（フロント側）。
【００２０】
つぎに、シール封印させてある側のナンバープレート１Ａに取付ける場合を説明する（図６参照）。
【００２１】
上下４隅部の取付ビスについては、１箇所の上部１隅部には予めシール封印された大形取付ビス５が設けられてあるので、封印処理されいいない他の３隅部の取付ビス９を取外す。そしてカバーＡのアダプター６を取外して貫通孔４を開口させて置く。
【００２２】
この状態で、カバーＡをナンバープレート１Ａに被覆させると、大形取付ビス５に対応する箇所には貫通孔４が臨まれるので、大形取付ビス５は無理なく貫通孔４内に係入され、他の透孔８はいずれも取外したビス孔に対応した箇所に臨まれる。したがって、３箇所のビス孔に取付ビス９を螺入螺合させて、ナンバープレート１Ａに対してカバーＡを確固に被着させることができる（バック側）。
【００２３】
以上記述した通り、アダプター６を設けた単一のカバーＡにより、アダプター６の使用，不使用により異なる２種類の形状のナンバープレート１，１Ａに対しても有効に使用できる。
【図面の簡単な説明】
【００２４】
【図１】本考案に係る大型自動車用ナンバープレートカバーの一実施例を示す正面図
【図２】図１のＩＩ−ＩＩ線断面図
【図３】アダプターの拡大平面図
【図４】図３のＩＶ−ＩＶ線断面図
【図５】シール封印されていない取付ビスのみで取付けられているナンバープレートに用いた場合の大型自動車用ナンバープレートカバーの平面図
【図６】シール封印した大型取付ビスを有するナンバープレートに用いた場合の大型自動用ナンバープレートカバーの平面図
【符号の説明】
【００２５】
Ａ    カバー
１，１Ａ  ２種類のナンバープレート
２    凹処
３    鍔部
４    貫通孔
５    大形取付ビス
６    アダプター
７    通孔
８    透孔
９    取付ビス
１０    テーパー斜面
【図１】
0003143298.tif 000003
【図２】
0003143298.tif 000004
【図３】
0003143298.tif 000005
【図４】
0003143298.tif 000006
【図５】
0003143298.tif 000007
【図６】
0003143298.tif 000008